(57)【要約】【課題】本発明は、電子装置を提供することを目的とする。【解決手段】本発明の電子装置は、本体、取付モジュール及び支持モジュールを備え、取付モジュールは、本体に固定される固定ラックと、固定ラックにスライド可能に装着される係合部材と、係合部材に固定される操作部材と、を備え、支持モジュールは、固定ラックに収容される取付ラックを備え、固定ラックには、接続孔及び２つの定位孔が設けられ、取付ラックには接続孔を貫くフックが形成され、操作部材には係合部が形成され、係合部材には当止薄板が設けられ、係合部が１つの定位孔に固定されると、当止薄板は取付ラックのフックを当止して、支持モジュールを取付モジュールに固定し、操作部材をスライドさせて、これにより係合部が別の定位孔に固定され、係合部材が操作部材に連動してスライドすると、当止薄板は取付ラックのフックに対する当止を解除して、取付ラックが固定ラックから取り外される。【選択図】図１
2012204834.tif 000002
【特許請求の範囲】
【請求項１】
本体と、取付モジュールと、前記取付モジュールに着脱可能に装着される支持モジュールとを備え、
前記取付モジュールは、前記本体に固定される固定ラックと、前記固定ラックにスライド可能に装着される係合部材と、前記係合部材に固定される操作部材と、を備え、前記固定ラックには、前記係合部材のスライド方向に沿って２つの定位孔が設けられ、前記操作部材には、弾性を有する係合部が形成され、
前記支持モジュールは、前記固定ラックに収容される取付ラックを備え、
前記固定ラックには、接続孔が設けられ、前記取付ラックには、前記接続孔を貫くフックが形成され、
前記係合部材には、当止薄板が設けられ、
前記操作部材の係合部が前記固定ラックの１つの定位孔に固定されると、前記係合部材の当止薄板が前記取付ラックのフックを当止して、前記支持モジュールを前記取付モジュールに固定し、
前記操作部材をスライドさせて、これにより前記係合部材が前記操作部材に連動してスライドすると、前記操作部材の係合部が前記固定ラックの別の定位孔に固定されて、前記係合部材の当止薄板が、前記取付ラックのフックに対する当止を解除して、前記取付ラックが前記固定ラックから取り外されることを特徴とする電子装置。
【請求項２】
前記本体の背面には、前記固定ラックを収容する収容部が設けられ、前記固定ラックは開口が設けられた収容フレームを備え、前記収容フレームは下側板を備え、前記下側板は下に向かって延在して接続板を形成し、前記接続孔は前記接続板に設けられ、前記取付ラックは、前記収容フレームの開口を通じて前記収容フレームに収容される収容部を備え、前記収容部は下側壁を備え、前記下側壁の後端には延伸板が下に向かって突出して形成され、前記フックは、Ｌ字状を呈し且つ前記延伸板の末端に形成されることを特徴とする請求項１に記載の電子装置。
【請求項３】
前記収容フレームは上側板をさらに備え、前記上側板には２つの係合孔が設けられ、前記収容部は上側壁をさらに備え、前記上側壁には、前記上側板の２つの係合孔に係合する係合部が突出して形成されることを特徴とする請求項２に記載の電子装置。
【請求項４】
前記接続板の下側辺から垂直に延在してなる取付板には、前記係合部材のスライド方向に沿ってスライドホールが設けられ、前記係合部材はスライドパネルを備え、前記当止薄板は、前記スライドパネルの片側に垂直に突出して形成され、前記スライドパネルには、固定孔が設けられ、前記操作部材には、前記取付板のスライドホールを貫いて前記係合部材の固定孔に固定される固定柱が形成されることを特徴とする請求項２又は３に記載の電子装置。
【請求項５】
前記取付板において、前記スライドホールの両側にそれぞれ他の１つのスライドホールがさらに設けられ、前記係合部材のスライドパネルにおいて、前記固定孔の両側にはそれぞれ１つのねじ孔が設けられ、前記操作部材の固定柱の両側には、それぞれ１つの貫通孔が設けられ、２つの固定部材が、前記操作部材の２つの貫通孔及び前記取付板の対応する２つのスライドホールを貫いて前記係合部材のスライドパネルのねじ孔に螺合することを特徴とする請求項４に記載の電子装置。
【請求項６】
前記支持モジュールは、前記取付ラックに固定されるカバーをさらに備え、前記カバーの底部には、切欠口が設けられ、前記操作部材には、前記カバーの切欠口を貫いて前記カバーから露出する操作部が形成されることを特徴とする請求項１〜５のいずれか一項に記載の電子装置。
【請求項７】
前記カバーの内面には、複数の凸柱が突出して形成され、各々の前記凸柱には、その軸方向に沿ってねじ孔が設けられ、前記取付ラックの上側壁から固定孔を有する固定板が垂直に延在して形成され、複数のねじが前記取付ラックの固定孔を貫いて前記カバーのねじ孔に螺合して、前記取付ラックを前記カバーに固定することを特徴とする請求項６に記載の電子装置。
【請求項８】
前記支持モジュールは、前記取付ラックに回動可能に装着されて前記本体を支持する支持体をさらに備え、前記支持体の一端の両側には、枢着孔を有する２つの枢着薄板が設けられ、前記取付ラックの収容部には、枢着孔を有する２つの接続板が形成され、２つのシャフトは、前記支持体２つの枢着薄板と前記取付ラックの２つの接続板との間に設置されて、前記支持体は前記取付ラックに枢着されることを特徴とする請求項２〜７のいずれか一項に記載の電子装置。
【発明の詳細な説明】
【技術分野】
【０００１】
本発明は、電子装置に関するものである。
【背景技術】
【０００２】
オールインワンの設計思想を導入した一体型パソコン又は液晶表示装置のような電子装置のホルダーは、一般的にねじによって前記電子装置のハウジングに固定される。前記電子装置を壁に掛ける場合、道具によって前記ホルダーを前記ハウジングから取り外すことが必要とされるので、操作が不便である。
【発明の概要】
【発明が解決しようとする課題】
【０００３】
本発明の目的は、前記課題を解決し、便利に操作できる電子装置を提供することである。
【課題を解決するための手段】
【０００４】
本発明に係る電子装置は、本体と、取付モジュールと、前記取付モジュールに着脱可能に装着される支持モジュールとを備え、前記取付モジュールは、前記本体に固定される固定ラックと、前記固定ラックにスライド可能に装着される係合部材と、前記係合部材に固定される操作部材と、を備え、前記固定ラックには、前記係合部材のスライド方向に沿って２つの定位孔が設けられ、前記操作部材には、弾性を有する係合部が形成され、前記支持モジュールは、前記固定ラックに収容される取付ラックを備え、前記固定ラックには、接続孔が設けられ、前記取付ラックには、前記接続孔を貫くフックが形成され、前記係合部材には、当止薄板が設けられ、前記操作部材の係合部が前記固定ラックの１つの定位孔に固定されると、前記係合部材の当止薄板が前記取付ラックのフックを当止して、前記支持モジュールを前記取付モジュールに固定し、前記操作部材をスライドさせて、これにより前記係合部材が前記操作部材に連動してスライドすると、前記操作部材の係合部が前記固定ラックの別の定位孔に固定されて、前記係合部材の当止薄板が、前記取付ラックのフックに対する当止を解除して、前記取付ラックが前記固定ラックから取り外される。
【発明の効果】
【０００５】
従来の技術に比べて、本発明の電子装置は、スライドできる係合部材の当止薄板によって、固定ラックの接続孔を貫いた取付ラックのフックを当止して、支持モジュールを取付モジュールに固定する。前記支持モジュールを取り外す場合、操作部材を操作して、前記係合部材の当止薄板を移動させて、前記取付ラックのフックに対する当止を解除し、これにより前記支持モジュールを迅速に取り外すことができ、道具を使用することがなく、操作が便利である。
【図面の簡単な説明】
【０００６】
【図１】本発明の実施形態に係る電子装置の立体分解図である。
【図２】図１に示す電子装置の取付モジュールの立体分解図である。
【図３】図２に示す取付モジュールの別の視角から見た図である。
【図４】図２に示す取付モジュールの立体組立図である。
【図５】図１示す支持モジュールの立体分解図である。
【図６】図５示す支持モジュールの取付ラックの拡大図である。
【図７】図５示す支持モジュールの立体組立図である。
【図８】本発明の実施形態に係る電子装置の支持モジュールを取付モジュールに装着する過程を示す図である。
【図９】本発明の実施形態に係る電子装置の支持モジュールを取付モジュールに装着する過程を示す図である。
【図１０】本発明の実施形態に係る電子装置の立体組立図である。
【発明を実施するための形態】
【０００７】
以下、図面を参照して、本発明の実施形態について説明する。
【０００８】
図１を参照すると、本発明の実施形態に係る電子装置は、本体４０と、取付モジュール１０と、支持モジュール２０と、を備える。前記取付モジュール１０は、前記本体４０内に収容され、前記支持モジュール２０は、前記取付モジュール１０に装着されて、前記本体４０を支持する。前記本体４０の背面には、収容部４２が設けられ、前記収容部４２の底壁には、４つのねじ孔４２２が設けられる。本実施形態において、前記電子装置は、一体型パソコンである。
【０００９】
図２及び図３を参照すると、前記取付モジュール１０は、固定ラック１２、係合部材１４、操作部材１６及び２つのねじ１８を備える。以下の説明では、前記固定ラック１２のうち、前記本体４０に向けられた方向を「前」方向とし、また、その反対方向を「後」方向とし、さらに前後方向に直交する方向のうち、前記固定ラック１２の底板１２２２（図２を参照）の長手方向に沿う方向を「左右」方向とし、その左右方向及び前後方向にそれぞれ直交する方向を「上下」方向とする。
【００１０】
前記固定ラック１２は、１つの側面が開口した収容フレーム１２２を備える。前記収容フレーム１２２は、長方形の底板１２２２と、前記底板１２２２の２つの長側辺から垂直に延在してなる上側板１２２４及び下側板１２２６とを備える。前記底板１２２２の上側辺から上に向って垂直に延在してなる２つのタブ１２２７には、それぞれ１つの固定孔１２２８が設けられ、２つの前記タブ１２２７は、互いに離間して設置される。前記上側板１２２４の前記タブ１２２７から離れている一端には、２つの係合孔１２２５が互いに離間して設けられる。前記下側板１２２６の後側辺から下に向かって垂直に延在してなる接続板１２４の下部には、２つの方形の接続孔１２４２が互いに離間して設けられる。前記接続板１２４の下側辺から前に向かって垂直に延在してなる矩形の取付板１２６には、前記接続板１２４に向かう２つのＬ字状のフック１２６６が互いに離間して設置される。前記取付板１２６における２つの前記フック１２６６と前記接続板１２４との間には、前記取付板１２６の長手方向に沿って順次に第一定位孔１２６４、第二定位孔１２６５、３つのスライドホール１２６２、及び当止要素１２６９が形成される。前記取付板１２６の前側辺から下に向って垂直に延在してなる折曲部には、２つの固定孔１２７が設けられる。
【００１１】
前記係合部材１４は、長方形のスライドパネル１４２を備え、前記スライドパネル１４２の片側には、前記固定ラック１２の２つの接続孔１２４２に対応する２つの当止薄板１４４が突出して形成される。前記スライドパネル１４２の中部には、固定孔１４６が設けられ、前記固定孔１４６の両側には、それぞれ１つのねじ孔１４８が設けられる。前記スライドパネル１４２の前記当止薄板１４４から離れている側辺には、２つの切欠口が設けられる。
【００１２】
前記操作部材１６は、長方形のスライディングプレート１６２を備える。前記スライディングプレート１６２の片側の中部には、固定柱１６４が上に向かって突出して形成される。前記スライディングプレート１６２における前記固定柱１６４の両側には、それぞれ１つの貫通孔１６６が設けられ、前記スライディングプレート１６２の一面には、弾性を有する係合部１６８が形成される。前記スライディングプレート１６２の他面の中部には操作部１６９が下に向かって突出して形成される。
【００１３】
図５及び図６を参照すると、前記支持モジュール２０は、支持体２２と、取付ラック２４と、２つのシャフト２６と、カバー２９と、を備える。以下の説明では、前記取付ラック２４のうち、前記本体４０に向けられた方向を「前」方向とし、また、その反対方向を「後」方向とし、さらに前後方向に直交する方向のうち、前記取付ラック２４の底壁２４４（図５を参照）の長手方向に沿う方向を「左右」方向とし、その左右方向及び前後方向にそれぞれ直交する方向を「上下」方向とする。
【００１４】
前記支持体２２は、略Ｌ字状であり、その一端の両側には、それぞれ１つの枢着薄板２２３が形成され、２つの前記枢着薄板２２３には、それぞれ１つの枢着孔２２４が設けられる。
【００１５】
前記取付ラック２４は、収容部２４２を備え、前記収容部２４２は、底壁２４４と、前記底壁２４４の対向する２つの側辺から垂直に延在してなる上側壁２４６及び下側壁２４７とに囲まれて形成される。前記上側壁２４６の後側辺の中部から下に向かって垂直に延在してなる固定板２４５には、２つの固定孔２４５２が設けられる。前記上側壁２４６の後側辺における前記固定板２４５の両側には、それぞれ１つの係合部２４６２が上に向かって突出して形成される。前記下側壁２４７の後側辺から下に向かって垂直に延在してなる延伸板２４８には、２つの固定孔２４８２が設けられる。前記延伸板２４８の下側辺には、２つのＬ字状のフック２４８４が前に向かって突出して形成される。前記下側壁２４７の両端から前記収容部２４２が所在する片側に向かって、枢着孔２４９２を有する２つの接続板２４９が突出して形成される。
【００１６】
前記カバー２９は、前記電子装置の本体４０の収容部４２を覆うために用いられる。前記カバー２９には、貫通孔２９２が設けられる。前記カバー２９の内面における前記貫通孔２９２の両側には、それぞれ２つの凸柱２９４が突出して形成され、各々の前記凸柱２９４には、その軸方向に沿ってねじ孔が設けられる。前記カバー２９の下側辺から垂直に延在してなる底板２９６の中部には、切欠口２９６２が設けられる。
【００１７】
図２〜図４を参照すると、前記取付モジュール１０を組み立てる場合、まず前記係合部材１４の２つの切欠口と前記固定ラック１２の２つのフック１２６６とを位置合わせしてから、前記係合部材１４を２つの前記フック１２６６、前記接続板１２４及び前記当止要素１２６９の間に装着する。次いで、前記操作部材１６を前記取付板１２６の底部に設置して、前記操作部材１６の固定柱１６４を、前記固定ラック１２の中間のスライドホール１２６２を貫いて、前記係合部材１４の固定孔１４６内に収容する。さらに、２つの前記ねじ１８が、前記操作部材１６の２つの前記貫通孔１６６及び前記固定ラック１２の両側のスライドホール１２６２を貫いて、前記係合部材１４の２つのねじ孔１４８に螺合して、前記係合部材１４及び前記操作部材１６を前記固定ラック１２にスライド可能に装着する。この際、前記係合部材１４の２つの当止薄板１４４は、前記固定ラック１２の２つの接続孔１２４２を遮る。
【００１８】
図１を参照すると、前記取付モジュール１０が前記電子装置の本体４０の収容部４２に設置されてから、４つのねじが、前記固定ラック１２の収容フレーム１２２の２つの固定孔１２２８、及び前記取付板１２６の前側辺から延在してなる折曲部の２つの固定孔１２７を貫いて、前記本体４０の４つのねじ孔４２２に螺合して、前記取付モジュール１０を前記電子装置に固定する。
【００１９】
図５〜図７を参照すると、前記支持モジュール２０を組み立てる場合、まず２つの前記シャフト２６が、前記支持体２２の２つの枢着薄板２２３と前記取付ラック２４の２つの接続板２４９との間に設置されて、各々の前記シャフト２６の両端が対応する前記枢着薄板２２３の枢着孔２２４及び前記接続板２４９の枢着孔２４９２を貫いてからナット２７と螺合して、前記支持体２２を前記取付ラック２４に枢着する。次いで、前記支持体２２の、前記取付ラック２４から離れている一端に、前記カバー２９の貫通孔２９２を貫かせる。さらに、４つのねじが、前記取付ラック２４の固定板２４５の２つの固定孔２４５２、及び延伸板２４８の２つの固定孔２４８２を貫いてから、前記カバー２９の４つの凸柱２９４のねじ孔に螺合して、前記取付ラック２４を前記カバー２９の内面に装着する。
【００２０】
図８〜図１０を参照すると、前記支持モジュール２０を前記取付モジュール１０に組み付ける場合、まず前記操作部材１６の操作部１６９を左に向かって（即ち前記当止要素１２６９から離れる方向に向かって）推進して、前記操作部材１６の係合部１６８を前記取付板１２６の第一定位孔１２６４に係合させる。この際、前記係合部材１４の２つの当止薄板１４４は、前記固定ラック１２の２つの接続孔１２４２から離れる。次いで、前記取付ラック２４を前記固定ラック１２の収容フレーム１２２に収容すると、前記取付ラック２４の２つの係合部２４６２は、前記固定ラック１２の２つの係合孔１２２５に係合し、前記取付ラック２４の２つのフック２４８４は、前記固定ラック１２の２つの接続孔１２４２を貫き、前記操作部材１６の操作部１６９は、前記カバー２９の切欠口２９６２を貫いて、前記カバー２９から露出する。さらに、前記操作部材１６の操作部１６９を右に向かって（即ち前記当止要素１２６９に向かって）推進すると、前記操作部材１６の係合部１６８は、前記取付板１２６の第一定位孔１２６４から退出して第二定位孔１２６５に係合し、前記係合部材１４は前記操作部材１６に連動して右へ移動して、前記係合部材１４の２つの当止薄板１４４は前記固定ラック１２の２つの接続孔１２４２を遮る。この際、前記固定ラック１２の２つの接続孔１２４２を貫いた前記取付ラック２４の２つのフック２４８４は、前記係合部材１４の２つの当止薄板１４４に当止される。このようにして、前記支持モジュール２０を前記電子装置に装着する。
【００２１】
前記支持モジュール２０を前記電子装置から取り外して、前記電子装置を壁に掛ける場合、まず前記操作部材１６の操作部１６９を左向きに動かすと、前記操作部材１６の係合部１６８は、前記取付板１２６の第二定位孔１２６５から退出して前記取付板１２６の第一定位孔１２６４に係合し、前記係合部材１４は前記操作部材１６に連動して左へ移動して、前記係合部材１４の２つの当止薄板１４４は、前記固定ラック１２の２つの接続孔１２４２から離れて、前記取付ラック２４の２つのフック２４８４に対する当止が解除される。この際、前記支持モジュール２０を抜き出すと、前記取付ラック２４の２つのフック２４８４は、前記固定ラック１２の２つの接続孔１２４２から退出し、前記取付ラック２４の２つの係合部２４６２は、前記固定ラック１２の２つの係合孔１２２５から退出して、これにより前記支持モジュール２０を取り外すことができる。この際、前記取付モジュール１０は、前記電子装置の収容部４２内に収容されており、前記電子装置を壁に掛けることに影響しない。本実施形態において、前記支持モジュール２０の２つの前記シャフト２６は、前記取付ラック２４の収容部２４２に収容されているので、占有空間が少なく、前記支持モジュール２０の着脱に影響しない。
【００２２】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２３】
１０  取付モジュール
１２  固定ラック
１４  係合部材
１６  操作部材
１８  ねじ
２０  支持モジュール
２２  支持体
２４  取付ラック
２６  シャフト
２７  ナット
２９  カバー
４０  本体
４２，２４２  収容部
１２２  収容フレーム
１２４，２４９  接続板
１２６  取付板
１２７，１４６，１２２８，２４５２，２４８２  固定孔
１４２  スライドパネル
１４４  当止薄板
１４８，４２２  ねじ孔
１６２  スライディングプレート
１６４  固定柱
１６６，２９２  貫通孔
１６８，２４６２  係合部
１６９  操作部
２２３  枢着薄板
２２４，２４９２  枢着孔
２４４  底壁
２４６  上側壁
２４７  下側壁
２４５  固定板
２４８  延伸板
２９４  凸柱
２９６  底板
１２２２  底板
１２２４  上側板
１２２５  係合孔
１２２６  下側板
１２２７  タブ
１２４２  接続孔
１２６２  スライドホール
１２６４  第一定位孔
１２６５  第二定位孔
１２６６，２４８４  フック
１２６９  当止要素
２９６２  切欠口
【図１】
2012204834.tif 000003
【図２】
2012204834.tif 000004
【図３】
2012204834.tif 000005
【図４】
2012204834.tif 000006
【図５】
2012204834.tif 000007
【図６】
2012204834.tif 000008
【図７】
2012204834.tif 000009
【図８】
2012204834.tif 000010
【図９】
2012204834.tif 000011
【図１０】
2012204834.tif 000012